【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
物体側から像側へ順に、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群を有し、ズーミングに際して隣り合うレンズ群の間隔が変化するズームレンズにおいて、
無限遠から近距離へのフォーカシングに際して前記第６レンズ群は像側へ移動し、
広角端における前記第５レンズ群の最も物体側のレンズ面から像面までの距離をＤ5、広角端において無限遠にフォーカスしているときの前記第６レンズ群の最も物体側のレンズ面から像面までの距離をＤ6、広角端における全系の焦点距離をｆW、広角端において無限遠にフォーカスしているときの前記第５レンズ群と前記第６レンズ群の合成焦点距離をｆｃとするとき、
０．７５＜Ｄ6／Ｄ5＜０．９８
２．３＜ｆｃ／ｆW＜６．０
なる条件式を満足することを特徴とするズームレンズ。
【請求項２】
前記第６レンズ群の焦点距離をｆ6とするとき、
０．４＜｜ｆ6｜／ｆW＜２．０
なる条件式を満足することを特徴とする請求項１のズームレンズ。
【請求項３】
前記第５レンズ群の焦点距離をｆ5、前記第６レンズ群の焦点距離をｆ6とするとき、
０．５＜ｆ5／｜ｆ6｜＜０．９
なる条件式を満足することを特徴とする請求項１又は２のズームレンズ。
【請求項４】
広角端において無限遠にフォーカスしているときの前記第５レンズ群と前記第６レンズ群の合成横倍率をβWｃ、望遠端において無限遠にフォーカスしているときの前記第５レンズ群と前記第６レンズ群の合成横倍率をβtｃとするとき、
｜βtｃ／βWｃ｜＜１．５
なる条件式を満足することを特徴とする請求項１乃至３のいずれか１項のズームレンズ。 
【請求項５】
ズーミングに際して、前記第１レンズ群乃至前記第６レンズ群が移動することを特徴とする請求項１乃至４のいずれか１項のズームレンズ。
【請求項６】
前記第６レンズ群の像側に配置された正の屈折力の第７レンズ群をさらに有し、前記第７レンズ群はズーミングに際して移動することを特徴とする請求項１乃至５のいずれか１項のズームレンズ。
【請求項７】
前記第６レンズ群は、物体側から像側へ順に配置された、正レンズ、負レンズより構成されることを特徴とする請求項１乃至６のいずれか１項のズームレンズ。
【請求項８】
請求項１乃至７のいずれか１項のズームレンズと、該ズームレンズによって形成された像を受光する撮像素子を有することを特徴とする撮像装置。
【手続補正２】
【補正対象書類名】明細書
【補正対象項目名】０００７
【補正方法】変更
【補正の内容】
【０００７】
本発明のズームレンズは、物体側から像側へ順に、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群を有し、ズーミングに際して隣り合うレンズ群の間隔が変化するズームレンズにおいて、
無限遠から近距離へのフォーカシングに際して前記第６レンズ群は像側へ移動し、
広角端における前記第５レンズ群の最も物体側のレンズ面から像面までの距離をＤ5、広角端において無限遠にフォーカスしているときの前記第６レンズ群の最も物体側のレンズ面から像面までの距離をＤ6、広角端における全系の焦点距離をｆW、広角端において無限遠にフォーカスしているときの前記第５レンズ群と前記第６レンズ群の合成焦点距離をｆｃとするとき、
０．７５＜Ｄ6／Ｄ5＜０．９８
２．３＜ｆｃ／ｆW＜６．０
なる条件式を満足することを特徴としている。
【手続補正３】
【補正対象書類名】明細書
【補正対象項目名】００２７
【補正方法】変更
【補正の内容】
【００２７】
広角端における第５レンズ群Ｌ５の最も物体側のレンズ面から像面までの距離をＤ5とする。広角端において無限遠にフォーカスしているときの第６レンズ群Ｌ６の最も物体側のレンズ面から像面までの距離をＤ6とする。広角端における全系の焦点距離をｆWとする。広角端において無限遠にフォーカスしているときの第５レンズ群Ｌ５と第６レンズ群Ｌ６の合成焦点距離をｆｃとする。このとき、
０．７５＜Ｄ6／Ｄ5＜０．９８    ・・・（１）
２．３＜ｆｃ／ｆW＜６．０      ・・・（２）
なる条件式を満足する。 
【手続補正４】
【補正対象書類名】明細書
【補正対象項目名】００３０
【補正方法】変更
【補正の内容】
【００３０】
条件式（２）の上限を超えて、第５レンズ群Ｌ５と第６レンズ群Ｌ６の正の合成屈折力が弱くなると、ズーミングに際して像面変動が増大し、この補正が困難となる。条件式（２）の下限を超えて、第５レンズ群Ｌ５と第６レンズ群Ｌ６の正の合成屈折力が強くなると、球面収差とコマ収差が増大し、これらの諸収差の補正が困難となる。更に好ましくは条件式（１）、（２）の数値範囲を次の如く設定するのが良い。
０．８＜Ｄ6／Ｄ5＜０．９５    ・・・（１ａ）
２．３＜ｆｃ／ｆW＜４．５      ・・・（２ａ）
各実施例によればフォーカシングによる撮影画角の変化が少なく、広画角かつ全系が小型なズームレンズを得ることができる。更に好ましくは次の条件式のうち１以上を満足するのが良い。第６レンズ群Ｌ６の焦点距離をｆ6とする。第５レンズ群Ｌ５の焦点距離をｆ5とする。広角端において無限遠にフォーカスしているときの第５レンズ群Ｌ５と、第６レンズ群Ｌ６の合成横倍率をβWｃとする。望遠端において無限遠にフォーカスしているときの第５レンズ群Ｌ５と、第６レンズ群Ｌ６の合成横倍率をβtｃとする。このとき、次の条件式のうち１以上を満足するのが良い。 
【手続補正５】
【補正対象書類名】明細書
【補正対象項目名】００３１
【補正方法】変更
【補正の内容】
【００３１】
０．４＜｜ｆ6｜／ｆW＜２．０    ・・・（３）
０．５＜ｆ5／｜ｆ6｜＜０．９    ・・・（４）
｜βtｃ／βWｃ｜＜１．５        ・・・（５） 
【手続補正６】
【補正対象書類名】明細書
【補正対象項目名】００３５
【補正方法】変更
【補正の内容】
【００３５】
１．５＜｜ｆ6｜／ｆW＜２．０        ・・・（３ａ）
０．６５＜ｆ5／｜ｆ6｜＜０．８５    ・・・（４ａ）
｜βtｃ／βWｃ｜＜１．３            ・・・（５ａ）
以上のように各実施例によれば、広角端における撮影画角が７３．６度程度で、全系が小型でフォーカシングによる撮影画角の変化が少ないズームレンズが容易に得られる。 
【手続補正７】
【補正対象書類名】明細書
【補正対象項目名】００３９
【補正方法】変更
【補正の内容】
【００３９】
また第６レンズ群Ｌ６は物体側から像側へ順に配置された正レンズと負レンズより構成し、フォーカシングに際しての収差、特に色収差の補正を容易にしている。
【手続補正８】
【補正対象書類名】明細書
【補正対象項目名】００４３
【補正方法】変更
【補正の内容】
【００４３】
これによりフォーカシングに際しての撮影画角の変化を低減している。また第６レンズ群Ｌ６は物体側から像側へ順に配置された正レンズと負レンズより構成し、フォーカシングに際しての収差、特に色収差の補正を容易にしている。以上のように実施例２は第６レンズ群Ｌ６の像側に配置された正の屈折力の第７レンズ群Ｌ７を有し、第７レンズ群Ｌ７はズーミングに際して移動する。